(57)【要約】【課題】  パニック障害を持つ者は、歯科治療時に発生する飛沫や風により、突然の激しい強い不安に息苦しさ等を伴う強い不安を感じてしまう。【解決手段】使用者の鼻の前にシート状の遮蔽体を設置し、前記本体の顔面側に突起体を固定することで飛沫や風をよけ、本人の自然な鼻呼吸が可能になり、前述の症状や不安を防止する。【選択図】図１
2017209468.tif 000002
【特許請求の範囲】
【請求項１】
使用者の鼻の両鼻孔への飛沫・風をよけ、口を覆わず、しかも目も覆わないシート状の遮蔽体と、前記遮蔽体の装着側の面に設けられ、前記鼻の鼻中隔又は鼻尖に当接して前記遮蔽体と前記両鼻孔との間に空隙を形成するためのスペーサと、を有する本体と、前記本体に連結され、前記本体を顔面に装着できるよう、前記使用者の両耳に掛けるための耳掛具と、を備える鼻呼吸補助具。
【請求項２】
前記スペーサは、弾性を有し、弾力をもって前記鼻中隔又は鼻尖に当接する、請求項１に記載の鼻呼吸補助具。
【請求項３】
前記スペーサは、横方向両端部が前記遮蔽体に固着され、中央部が突起したシート状である、請求項１又は２に記載の鼻呼吸補助具。
【請求項４】
前記スペーサは、６つに折れたシート状であり、折り目により７つの領域に分割され、両端の領域は前記遮蔽体に固着され、それらの間の領域は前記遮蔽体から浮いており、中央の領域は前記遮蔽体から最も浮いており、残る４領域は中央の領域に近い方が、前記遮蔽体に対して急な角度で傾斜している、請求項３に記載の鼻呼吸補助具。
【請求項５】
前記本体は、前記使用者の顔面に触れるように、前記シート状の遮蔽体の下端に沿って設けられたクッション材を、さらに有する請求項１から４のいずれかに記載の鼻呼吸補助具。
【発明の詳細な説明】
【技術分野】
【０００１】本発明は、特に歯科治療における飛沫及び風をよける鼻呼吸補助具である。
【背景技術】
【０００２】歯科治療において精神的束縛を感じる者は、治療時の飛沫及び風により、突然の激しい動悸・胸苦しさ・息苦しさ等を伴う強い不安に襲われる場合があり、それに対処できる器具がない。
【先行技術文献】
【０００３】
【特許文献】
【特許文献】  実登３１９７１９０
【発明の概要】
【発明が解決しようとする課題】
【０００４】現在、飛沫を防止するブロックマスクを開発する業者や、それを改良する考案者がいる。周知する飛沫ブロックマスクは実用新案登録番号第３１９７１９０号の「平型飛沫ブロックマスクの改良構造」であり、それは飲食業でのスタッフの飛沫が、顧客に噴出するのを防止するための飛沫防止マスクである。【０００５】上記周知する飛沫ブロックマスクは、それを付ける飲食業のスタッフ本人の飛沫を防ぐマスクであるので、主に一種のソフト型平型形態の引例のプレフィルタ下の中央エリアに曲れる板を設置し、着用時は顎に当てる簡易型飛沫ブロックマスクの形態を形成するのである。これでは口全体を覆ってしまい歯科治療は受けられない。そこで発明者は患者であるユーザーが装着することで、歯科治療で発生する飛沫や風を防ぎ、患者の自然な鼻呼吸が出来るように改善したい。【０００６】歯科治療に精神的束縛を感じてしまうパニック障害を持つ者は、治療時に発生する飛沫や風を鼻に受け、突然の激しい動悸・胸苦しさ・息苦しさ等を伴う強い不安に襲われる場合があり、歯科治療の必要性を感じながら治療を回避してしまいかねない。従って、患者の鼻の前へ飛沫や風をよけるシート状の遮蔽体を設置することにより、患者本人の鼻呼吸が可能になり前述の症状や不安を解決しようとするものである。【０００７】そのため、歯科治療において精神的束縛を感じ、治療時の飛沫及び風により、突然の激しい胸苦しさ・息苦しさを伴う強い不安に襲われる発明者本人が、上述した目標に対し、詳しく設計や評価した後、本発明を提出するものである。
【課題を解決するための手段】
【０００８】本発明の歯科治療における飛沫及び風をよける鼻呼吸補助具は、治療時の飛沫及び風の侵入を防ぐことは勿論、両鼻孔の間である鼻中隔又は鼻尖に当接した突起体により、ユーザー本人の鼻呼吸は妨げられず、歯科受診の精神的・身体的不安の軽減に役立つのである。【０００９】第１の発明は、使用者の鼻の両鼻孔への飛沫及び風をよけ、口を覆わず、しかも目も覆わないシート状の遮蔽体と、遮蔽体の装着側の面に設けられ、鼻の鼻中隔又は鼻尖に当接して、遮蔽体と両鼻孔との間に空隙を形成するための突起体と、を有する本体と、本体に連結され、本体を顔面に装着できるよう、使用者の両耳に掛けるための耳掛け具と、を備える鼻呼吸補助具である。【００１０】第２の発明は、スペーサは、弾性を有し、弾力をもって鼻中隔又は鼻尖に当接する、鼻呼吸補助具である。【００１１】第３の発明は、スペーサは、横方向両端部が遮蔽体に固着され、中央部が突起したシート状の鼻呼吸補助具である。【００１２】第４の発明は、スペーサは、６つに折れたシート状であり、折り目により７つの領域に分割され、両端の領域は前記遮蔽体に固着され、それらの間の領域は遮蔽体から浮いており、中央の領域は遮蔽体から最も浮いており、残る４領域は中央の領域に近い方が、遮蔽体に対して急な角度で傾斜している、鼻呼吸補助具である。【００１３】第５の発明は、本体は、使用者の顔面に触れるように、シート状の遮蔽体の下端に沿って設けられたクッション材を、さらに有する、鼻呼吸補助具である。
【発明の効果】
【００１４】第１の発明は、歯科治療に精神的束縛を感じてしまうパニック障害を持つ者は、治療時に発生する飛沫や風を鼻に受け、突然の激しい動悸・胸苦しさ・息苦しさ等を伴う強い不安に襲われる場合がある。そこで、図３，４で示すように、上記の設計により、鼻呼吸補助具Ａを顔面に装着し、鼻中隔又は鼻尖と突起体との当接させて歯科治療における飛沫及び風をよけ、且つ両鼻孔とシート状の遮蔽体との間に確実に隙間を作り、ユーザー本人の自然な鼻呼吸を可能にする。【００１５】第２の発明は、スペーサは弾性を有し、弾性をもって鼻中隔又は鼻尖に当接するので、鼻呼吸補助具を顔面に装着する際、顔面の圧迫感が少なく当りが柔らかである。【００１６】第３の発明は、スペーサは横方向両端部が遮蔽体に固着され、中央部が突起したシート状であるため、左右に動きにくく装着時に安定感があり、軽くて鼻に添いやすく当りが柔らかなので、ユーザー自身の自然な鼻呼吸を妨げない。【００１７】第４の発明は、突起体は６つに折れた形態であり、図３のように顔面に装着した際、鼻中隔又は鼻尖に押し付けられても、より弾性を有するので、顔面の圧迫感が少ない上、鼻に添いやすく当りがより柔らかい。また６つ折りの突起体は横に広がるテープ状の形態なので左右に動きにくく装着時に安定感があり、ユーザー自身の鼻呼吸を妨げない。図１で示すように、突起体の横方向両端部は、本体との接着面となり、装着時に本体を鼻中隔又は鼻尖に押し付けた際、遮蔽体から鼻に押し付けられる力が、５面に分散され、鼻中隔又は鼻尖への圧迫感は少なくなり、柔軟性が増す。【００１８】第５の発明は、シート状の遮蔽体の下端に沿ってクッション材を設けることで、本体を装着する際、歯科治療中に終始装着しても顔面に跡が付かず、且つ当りを良くし装着感を減らす。【００１９】シート状の遮蔽体は、シート状であるため顔面に添いやすい上、耳掛け具用の穴をあけやすく、また安価である。
【図面の簡単な説明】
【００２０】
【図１】本発明構造実施例の組立図
【図２】本発明構造実施例の縦断面図
【図３】本発明の鼻呼吸補助具の着用イメージ図
【図４】本発明の鼻呼吸補助具の斜め上から見た着用イメージ図
【図５】本発明構造実施例の組立図
【図６】本発明構造実施例の縦断面図
【図７】本発明構造実施例の半円状形スペーサ接着部分を示す図
【図８】本発明構造実施例の４つ折り形スペーサ接着部分を示す図
【発明を実施するための形態】
【００２１】以下、本発明の実施の形態を図１〜８に基づいて説明する。
【００２２】図１〜８で示すように、本発明の歯科治療における飛沫及び風をよける鼻呼吸補助具Ａの実施例であり、この説明は本発明の特許請求の範囲を制限しておらず、具体的に本発明を説明するために用いられる内容である。
【００２３】図１で示すように、該歯科治療における飛沫及び風をよける鼻呼吸補助具Ａは、シート状の遮蔽体１０と、鼻孔を塞がないように、鼻中隔又は鼻尖に接触するテープ状の、富士山状に浮き上がっている突起体２０が一体化し、且つ耳に近接する側１１に耳掛け具１３（廉価版の場合はゴム状の構造もある）を設け、図２で示すように顔面に装着する。
【００２４】歯科治療に精神的束縛を感じてしまうパニック障害を持つ者は、治療時に発生する飛沫や風を鼻に受け、突然の激しい動悸・胸苦しさ・息苦しさ等を伴う強い不安に襲われる場合がある。そこで、図３，４で示すように、上記の設計により、鼻呼吸補助具Ａを顔面に装着し、鼻中隔又は鼻尖と突起体とを当接させて歯科治療における飛沫及び風をよけ、且つ両鼻孔とシート状の遮蔽体との間に確実に隙間を作り、ユーザー本人の自然な鼻呼吸を可能にする。
【００２５】シート状の遮蔽体１０は、ある程度強剛性があり且つ顔になじむ柔軟性もある。それにより顔面に装着し、本体が顔に押し付けられても突起体２０が鼻中隔又は鼻尖だけにあたり両鼻孔を塞がないので、自然な鼻呼吸が可能となり、例えば全く弾性のないものでもできる。
【００２６】突起体２０は、６つに折れており、図３のように顔面に装着した際、鼻中隔又は鼻尖に押し付けられてもより弾性を有するので、顔面の圧迫感が少ない上、鼻に添いやすく当りがより柔らかい。また６つ折りの突起体２０は横に広がるテープ状の形態なので左右に動きにくく装着時に安定感があり、ユーザー自身の鼻呼吸を妨げない。図１で示すように、突起体２０の横方向両端部が、遮蔽体１０に接着面２４で固着されており、装着時に本体Ａを鼻中隔又は鼻尖に押し付けた際、遮蔽体から鼻に押し付けられる力が、５面に分散され、鼻中隔又は鼻尖への圧迫感は少なくなり、柔軟性が増す。またテープ状なので軽くて鼻に添いやすく当りが柔らかい上、耳掛け具の穴もあけやすく、洗浄可能で衛生的に保ちやすく安価である。
【００２７】図２の突起体２０の横幅２１は、両鼻孔の間位の長さであり、横幅２１は鼻中隔又は鼻尖の幅より広くてもよい。但し横幅２１は両鼻孔を塞がない長さであり両鼻孔を塞がない形状であり、且つ両鼻孔との間に空隙が形成される形態であればよい。
【００２８】図１の耳掛け具１３は、例えばゴム様の弾性のある紐が望ましい。
【００２９】図１のシート状の遮蔽体１０は、ある程度の強剛性があり且つ顔になじむ柔軟性もあるので、遮蔽体１０の横の長さ１５は、耳介の前付近までの長さであると、鼻中隔又は鼻尖を中心に頬骨の下に添うので安定していて装着感が少なくてよい、例えば標準的な成人女性用であれば１２０〜１６０ｍｍ程度でもよい。また図１の耳に近接する側１１が、図５の耳に近接する側３１より遠いため、シート状の遮蔽体１０と両鼻孔との間の空隙がより安定して得られ、ユーザーの精神的負担は軽減する。
【００３０】図５で示すように、歯科治療における飛沫および風をよける鼻呼吸補助具Ｂは、シート状の遮蔽体３０と、鼻孔を塞がないように、鼻中隔又は鼻尖に接触するテープ状の突起体４０が一体化し、且つ耳に近接する側３１に耳掛け具３３（廉価版の場合はゴム状の構造もある）を設け、顔面に装着する。
【００３１】シート状の遮蔽体３０は、ある程度強剛性があり且つ顔になじむ柔軟性もある。それにより顔面に装着し、本体が顔に押し付けられても突起体４０が鼻中隔又は鼻尖だけにあたり両鼻孔を塞がないので、自然な鼻呼吸が可能となり、例えば全く弾性のないものでもできる。
【００３２】図５の突起体４０は、例えば四角柱状の小さなプラスチックの塊であり、このプラスチックが弾性のある柔らかいウレタンフォームやゴム、或いは弾性の全くないものでもよい。突起体４０は、例えばプラスチックの塊であるので、装着時に形状が保たれやすく、安定感があり頑丈である。
【００３３】図６の突起体４０の横幅４１は、両鼻孔の長さ位であり、横幅４１は鼻中隔又は鼻尖の幅より広くてもよい。但し横幅４１は両鼻孔を塞がない長さであり両鼻孔を塞がない形状であり、且つ両鼻孔との間に空隙が形成される形態であればよい。
【００３４】図５の耳掛け具３３は、例えばワイヤ状で、シート状の遮蔽体Ｂが各ユーザーの顔面に添うように曲がるとよい。このワイヤ状の耳掛け具３３は、曲がらないものでも弾性のある紐でもよい。
【００３５】本体と突起体の接着面２４・４２は、例えば強力な両面テープで接着する、或いは接着剤でもよい。
【００３６】図５，６で示すように、シート状の遮蔽体３０の横の長さ３５は、鼻呼吸補助具Ａよりコンパクトな廉価版であるため、例えば上唇の横幅位の大きさで、例えば標準的な成人女性用であれば、例えば４０〜８０ｍｍ程度でも本来の機能は有している。
【００３７】図１、３、５で示すように、下端カバー１２・３２は、本体Ａ・Ｂを装着する際、歯科治療中に終始装着しても顔面に跡が付かないようにするため、且つ当りを良くし装着感を減らすもので、例えばクッション材の布を、例えば本体Ａ・Ｂの下端をくるむように、例えばシート状の遮蔽体Ａ・Ｂが顔面に直接当たらぬように接着する。
【００３８】図１のシート状の遮蔽体Ａの縦幅１４、及び図５のシート状の遮蔽体Ｂの縦幅３４について、パニック障害を持つ者は、閉塞感のある場所にしばしば恐怖を感じてしまうので、出来るだけ縦幅１４・３４を狭くし、顔面への装着感をなくすのが好ましい。よって縦幅１４・３４は例えば上唇の上側から鼻尖程度の長さで、標準的な成人女性用であれば、例えば１０〜３０ｍｍ程度でもよい。
【００３９】例えば、バリエーションとして図７の半円状の突起体５０は接着面が少なく当りが柔らかで軽い、図８の４つ折り形態の突起体６０は、軽くて当りが柔らかで、突起体５０・突起体６０共に、形が保ちやすいので左右にずれにくく、装着時に安定感がある。
【００４０】図１・７・８で示すように、突起体２０・５０・６０はいずれもテープ状であり、軽くて鼻に添いやすく当りが柔らかい上、また洗浄が可能で衛生に保ちやすい。特に突起体５０・６０においては、軽くコストが安くなる。
【符号の説明】
【００４１】Ａ      歯科治療における飛沫および風をよける鼻呼吸補助具
１０    シート状の遮蔽体・本体
１１    耳に近接する側
１２    下端カバー
１３    耳掛け具
１４    シート状の遮蔽体の縦幅
１５    シート状の遮蔽体の横長さ
２０    突起体
２１    突起体の横幅
２４    本体と突起体の接着面
Ｂ      鼻呼吸補助具の別形態
３０    上唇の横幅程度に短くしたシート状の遮蔽体
３１    耳に近接する側
３２    下端カバー
３３    耳掛け具
３４    シート状の遮蔽体の縦幅
３５    シート状の遮蔽体の横幅
４０    四角柱状突起体
４１    四角柱状突起体の横幅
４２    本体と突起体の接着面
５０    半円形突起体
６０    ４つ折り形突起体
【図１】
2017209468.tif 000003
【図２】
2017209468.tif 000004
【図３】
2017209468.tif 000005
【図４】
2017209468.tif 000006
【図５】
2017209468.tif 000007
【図６】
2017209468.tif 000008
【図７】
2017209468.tif 000009
【図８】
2017209468.tif 000010
【手続補正書】
【提出日】平成29年3月22日(2017.3.22)
【手続補正１】
【補正対象書類名】特許請求の範囲
【補正対象項目名】請求項１
【補正方法】変更
【補正の内容】
【請求項１】
使用者の口と鼻の間で鼻の両鼻孔への飛沫・風を防ぎ、口を覆わず、しかも目も覆わないシート状の遮蔽体と、前記遮蔽体の鼻側の面に設けられ、前記鼻の鼻中隔又は鼻尖に当接して前記遮蔽体と前記両鼻孔との間に空隙を形成するためのスペーサと、を有する本体と、前記本体に連結され、前記本体を顔面に装着できるよう、前記使用者の両耳に掛けるための耳掛け具と、を備える鼻呼吸補助具。